(57)【要約】      （修正有）【課題】土木用ブロックを積み上げる際ちは足場として利用でき、また、太陽電池パネルを設置した土木用ブロックの場合には、太陽電池パネルのメンテナンス等を施すための足場として利用できる土木用ブロックを提供する。【解決手段】底面部１の相対する２辺から立設された第１接合部２及び第２接合部３と、該第１接合部２及び第２接合部３から立ち上がり交差する第１斜面部４及び第２斜面部５と、前記底面部１の残りの２辺から立設された両側面部６、７とからなる。【選択図】図１
0003173210.tif 000002
【実用新案登録請求の範囲】
【請求項１】
底面部の相対する２辺から立設された第１接合部及び第２接合部と、
該第１接合部及び第２接合部から立ち上がり交差する第１斜面部及び第２斜面部と、
前記底面部の残りの２辺から立設された両側面部とからなることを特徴とする土木用ブロック。
【請求項２】
第２斜面部の底面部に対する傾斜角が２５〜３５度であることを特徴とする請求項１に記載の土木用ブロック。
【請求項３】
第１接合部に凸部又は凹部が形成され、第２接合部に該凸部又は凹部と係合する凹部又は凸部が形成されていることを特徴とする請求項１又は２に記載の土木用ブロック。
【請求項４】
第１斜面部及び両側面部が枠状であることを特徴とする請求項１乃至３のいずれかに記載の土木用ブロック。
【請求項５】
第１斜面部に太陽電池パネルが設置されていることを特徴とする請求項１乃至３のいずれかに記載の土木用ブロック。
【請求項６】
太陽電池パネルが傾斜角度を調節可能に設置されていることを特徴とする請求項５に記載の土木用ブロック。
【請求項７】
内部の空間部に太陽電池パネルが収容されて設置されていることを特徴とする請求項４に記載の土木用ブロック。
【請求項８】
太陽電池パネルが傾斜角度を調節可能に設置されていることを特徴とする請求項７に記載の土木用ブロック。
【考案の詳細な説明】
【技術分野】
【０００１】
本考案は、擁壁等に用いられる土木用ブロック及び太陽電池パネルを設置した土木用ブロックに係り、更に詳しくは、土木用ブロックを積み上げる際の足場として利用でき、又は、太陽電池パネルを設置した土木用ブロックの場合には、太陽電池パネルのメンテナンス等を施すための足場として利用できる土木用ブロックに関する。
【背景技術】
【０００２】
従来より、切り土や盛り土によって出来た斜面（法面）の崩壊を防ぐために広く擁壁が構築されている。また、近年では、擁壁を構築するための土木用ブロックに太陽電池パネルを設置することにより、道路に面する山や土手、河川の堤防等の斜面を太陽光発電の場所として有効に使用することも提案されている（例えば、特許文献１参照）。
【０００３】
しかしながら、このような土木用ブロックは、通常、コンクリート製で、嵩が大きく、且つ重量が大きいため、足場の悪い施工現場で積み上げることは容易ではない。また、太陽電池パネルは風雨に晒されると汚れや故障により性能が低下するか、甚だしき場合は機能を停止する恐れもあるため、日常のメンテナンスが必要になるが、メンテナンスの度に足場を構築することは煩雑であるはかりでなく、高コストとなるのを避けられない。
このような問題点を解決する方法としては、機能的構造物を有する土木用ブロックは容易に足場を組むことができる下層部のみに使用し、足場を組むのが困難なほど高いところにある土木用ブロックについては、例えば特許文献２、特許文献３に記載されているような、メンテナンスが不要で非機能的な土木用ブロックを使用する方法が考えられる。しかしながら、この方法では斜面を有効に利用することができない。
【先行技術文献】
【特許文献】
【０００４】
【特許文献１】特開２０１１−１９６０１６号公報
【特許文献２】特開平８−２３９８４９号公報
【特許文献３】特開平９−２６４０２８号公報
【考案の概要】
【考案が解決しようとする課題】
【０００５】
本考案は、上記課題に鑑みてなされたものであって、土木用ブロックを積み上げる際の足場として利用でき、また、太陽電池パネルを設置した土木用ブロックの場合には、太陽電池パネルのメンテナンス等を施すための足場として利用できる土木用ブロックを提供することを目的とする。
【課題を解決するための手段】
【０００６】
上記目的を達成するために、本考案の特徴の第１は、底面部の相対する２辺から立設された第１接合部及び第２接合部と、該第１接合部及び第２接合部から立ち上がり交差する第１斜面部及び第２斜面部と、前記底面部の残りの２辺から立設された両側面部とからなる土木用ブロックを内容とする。
【０００７】
本考案の特徴の第２は、第２斜面部の底面部に対する傾斜角が２５〜３５度である上記土木用ブロックを内容とする。
【０００８】
本考案の特徴の第３は、第１接合部に凸部又は凹部が形成され、第２接合部に該凸部又は凹部と係合する凹部又は凸部が形成されている上記土木用ブロックを内容とする。
【０００９】
本考案の特徴の第４は、第１斜面部及び両側面部が枠状である上記土木用ブロックを内容とする。
【００１０】
本考案の特徴の第５は、第１斜面部に太陽電池パネルが設置されている上記土木用ブロックを内容とする。
【００１１】
本考案の特徴の第６は、太陽電池パネルが傾斜角度を調節可能に設置されている上記土木用ブロックを内容とする。
【００１２】
本考案の特徴の第７は、内部の空間部に太陽電池パネルが収容されて設置されている上記土木用ブロックを内容とする。
【００１３】
本考案の特徴の第８は、太陽電池パネルが傾斜角度を調節可能に収容され設置されている上記土木用ブロックを内容とする。
【考案の効果】
【００１４】
本考案の土木用ブロックは、第２斜面部を土木用ブロックを積み上げる際の足場として利用できるので、土木用ブロックの積み上げ作業が容易である。また、土木用ブロックに太陽電池パネルを設置した場合には、別途足場を組むことなく、太陽電池パネルのメンテナンス等を施すための足場として利用することができるので、太陽電池パネルのメンテナンス等を安価且つ容易に行うことができる。更に、太陽電池パネルを擁壁が構築された後に土木用ブロックに設置する場合にも、足場として利用することが可能である。
さらに、本考案の、太陽電池パネルを設置した土木用ブロックは、斜面に積み上げられ擁壁が構築されると、太陽電池パネルは傾斜した状態となるので、太陽光を効率的に利用することができる。
【図面の簡単な説明】
【００１５】
【図１】図１（ａ）は本考案の土木用ブロックの一例を示す正面図であり、（ｂ）は（ａ）の側面図である。
【図２】図２は本考案の土木用ブロックの別の例を示す側面図である。
【図３】図３は本考案の土木用ブロックの更に別の例を示す側面図である。
【図４】図４は本考案の土木用ブロックに太陽電池パネルを設置した例を示す側面図である。
【図５】図５は本考案の土木用ブロックに太陽電池パネルを設置した別のの例を示す側面図である。
【図６】図６は図５の斜視図である。
【図７】図７は図５及び図６の土木用ブロックで構築した擁壁を示す概略図である。
【考案を実施するための形態】
【００１６】
本考案の土木用ブロックＢは、図１に示すように、底面部１の相対する２辺から立設された第１接合部２及び第２接合部３と、該第１接合部２及び第２接合部３から立ち上がり交差する第１斜面部４及び第２斜面部５と、前記底面部１の残りの２辺から立設された両側面部６、７とからなることを特徴とする。
【００１７】
本考案において底面部１とは、切り土や盛り土による斜面の上に本考案の土木用ブロックＢを敷設・積み上げる（以下、単に「積み上げる」と記載する）際に、斜面と直接接する部分である。この種の土木用ブロックＢにおいては、底面部１によって土砂を押圧するとともに、この重みで土砂の崩壊を防いでいるため、積み上げれば隙間が殆ど出来ない形状、具体的には方形であるのが好ましい。
【００１８】
前記底面部１の相対する２辺からは、第１接合部２及び第２接合部３が立設されている。本考案において、第１接合部２、第２接合部３とは、本考案の土木用ブロックＢを斜面に積み上げる際に、一の土木用ブロックＢが斜面の上下方向に隣接する他の土木用ブロックＢと接合する部分である。その形状は上下方向に隣接する他の土木用ブロックＢとの間に隙間が生じない形状であれば特に限定されず、最も単純には図１に示したような矩形の平面状が例示できる。
【００１９】
この第１接合部２、第２接合部３には、図２に示したように、上下に隣接する土木用ブロックＢと係合させるための凸部８及び／又は凹部９を設けてもよい。凸部８及び凹部９の形状は隣接する土木用ブロックＢの凸部８及び凹部９と係合する形状であれば特に限定されず、図２に示した例では凸部８が半球状の突起であり、凹部９が前記凸部８と係合する半球状の窪みとされている。その他、凸条と溝の組み合わせ、波型同士の組み合わせ等が例示される。
また、第１接合部２と第２接合部３の両方に凸部８を設けたもの、両方に凹部９を設けたものでも本考案の土木用ブロックＢとして使用できるが、この場合、両方に凸部８を設けたものと両方に凹部９を設けたものの２種類の土木用ブロックＢを用意する必要が生じ、コストが上昇する。従って、第１接合部２と第２接合部３のいずれか一方に凸部８を設け、他方に凹部９を設けたほうが好ましい。
【００２０】
前記第１接合部２からは、第１斜面部４が斜め上方に延設されている。本考案において第１斜面部４とは、必要に応じ、太陽電池パネルを設置する部分であり、後述の第２斜面部５と交差するように立ち上がっている。
第１斜面部４の形状は、太陽電池パネルを設置できる形状であれば特に限定されないが、図３及び図６に示すように、枠状、即ち縁部のみを残して中央部を大きく切除した形状にすれば、太陽電池パネルを土木用ブロックＢ内に収容することができる。また、このように、枠状とすれば太陽光が実質的に遮られず、太陽光の利用効率が向上する。
【００２１】
前記第２接合部３からは、第２斜面部５が斜め上方に延設されている。本考案において第２斜面部５とは、本考案の土木用ブロックＢを積み上げたり、前記第１斜面部４に設置、または土木用ブロックＢの内部に収容して設置されたされた太陽電池パネルをメンテナンス等するための足場になる部分であり、前記の第１斜面部４と交差するように立ち上がっている。
第２斜面部５は、本考案の土木用ブロックＢを切り土や盛り土により形成された斜面に積み上げた際に、略水平、即ち水平面又は歩行や作業が容易な程度に傾斜が抑えられた緩やかな斜面になるように形成される。即ち、第２斜面部５の底面部１に対する傾斜角αは、土木用ブロックＢを積み上げる斜面の傾斜角度により適宜決定される。具体的には、通常の場合、切り土や盛り土により形成された斜面は、安息角を考慮して約２５〜３５度に形成されるので、第２斜面部５の底面部１に対する傾斜角αを約２５〜３５度にすれば、擁壁構築後の第２斜面部５を略水平にすることができ、足場として利用することができる。
第２斜面部５の形状は、歩行や作業が容易な形状であれば特に限定されず、最も単純には平面状が例示できるが、表面に滑り止め用の凹凸を設けたり、足を踏み外す等のトラブルを防止するために周囲に縁石等を設けてもよい。
【００２２】
第１斜面部４と第２斜面部５の大きさは、第２斜面部５は足場として利用できる大きさであればよく、一方、第１斜面部４は、必要に応じ、太陽電池パネルが設置されるので、大サイズの太陽電池パネルでも設置できるようにするとともに、積み上げる土木用ブロックの数を少なくてすむように、できるだけ大きめに設計するのが望ましい。
【００２３】
前記底面部１の残りの２辺からは両側面部６、７が立設されている。本考案において両側面部６、７とは、本考案の土木用ブロックＢを斜面に積み上げる際に、一の土木用ブロックＢが斜面の左右方向に隣接する他の土木用ブロックＢと接合する部分である。その形状は、左右方向に隣接する他の土木用ブロックＢとの間に隙間が生じない形状であれば特に限定されず、最も単純には図１に示したような平面状が例示できる。
また、図３に示すように、両側面部６、７の形状を枠状、即ち縁部のみを残して中央部を大きく切除した形状にすれば、太陽電池パネルの発生する熱を逃がすための通気経路が形成され冷却されるので、高性能を維持することができる。また、太陽光が実質的に遮られないので、太陽光を効率的に利用することができる。尚、この両側面部６、７にも、必要に応じ、第１、第２接合部と同様に、凸部及び／又は凹部を設けることができる。
【００２４】
本考案の土木用ブロックＢに設置される太陽電池パネルＰの形状や大きさについては特に限定されないが、太陽光を有効に活用するためには、可能な限り大きいほうが好ましい。太陽電池パネルＰの種類については、太陽光を受けて起電力を得ることができるパネルであれば特に限定されない。
【００２５】
太陽電池パネルＰは、本考案の土木用ブロックＢの第１斜面部４上に設置されるか、又は、該土木用ブロックＢの内部に収容されて設置される。本考案の土木用ブロックＢは、斜面上に積み上げられるので、たとえ太陽電池パネルＰを底面部１と平行に固定して設置しても一定の傾斜角度を有し、太陽光を効率的に利用することができる。
しかし、図４や、図５及び図６に示すように、必要に応じて、太陽電池パネルＰを太陽の動きに追随させたり、或いはメンテナンスの利便等のために、傾斜角度を調節可能に設置することが好ましい。
傾斜角度は、タテ方向及び／又はヨコ方向に調節可能とされ、傾斜角度は特に限定されないが、太陽電池パネルＰを太陽の動きに追随させる場合は５〜３０度程度が好ましく、メンテナンス性を向上させるためには９０度まで立てることが出来るようにするのが好ましい。傾斜角度を調節する具体的手段は特に制限されず、例えば、軸と軸受、蝶番、伸縮可能なアーム等が例示される。
図４では、土木用ブロックＢの第１斜面部４上に、フレーム１０を介して太陽電池パネルＰが設置手段（図ではヒンジ）により傾斜角度を調節可能に設置されている。また、図５及び図６では、土木用ブロックＢの内部に太陽電池パネルＰが収容され、設置手段（図ではヒンジ）により傾斜角度を調節可能に設置されている。
尚、太陽電池パネルＰは予め土木用ブロックＢに設置又は収容されていてもよく、また、土木用ブロックＢを積み上げて擁壁を構築してから太陽電池パネルＰを設置又は収容してもよい。後者の太陽電池パネルを後付けする場合にも、第２斜面部を足場として利用できるので作業性が良好である。
【００２６】
本考案の土木用ブロックＢの材質については、土圧に耐える程度の強度と斜面の崩壊を防ぐ程度の重量がある材質である限り特に限定されないが、通常、コンクリート又は鉄筋コンクリート製とするのが好ましく、必要に応じ、軽量コンクリート製であってもよい。  
【００２７】
本考案の土木用ブロックＢは、図７に示したように、切り土や盛り土により形成された斜面に積み上げて擁壁を構築するために使用される。擁壁の構築方法は従来の土木用ブロックに用いられている常法でよい。
本考案の土木用ブロックＢは、第２斜面部５の傾斜角度が略水平になり、足場として利用できるように積み上げられる。具体的には、切り土や盛り土の斜面の傾斜角度を土木用ブロックＢにおける底面部１に対する第２斜面部５の傾斜角に合わせるか、或いは、底面部１に対する第２斜面部５の傾斜角が切り土や盛り土の斜面の傾斜角度に近い土木用ブロックＢを選択することにより、擁壁を構築した際に、第２斜面部５を略水平にすることができる。
これにより第２斜面部５を足場として利用し、作業者がこの上に立って、本考案の土木用ブロックＢを積み上げたり、該ブロックＢに設置された太陽電池パネルＰのメンテナンス等を行うことが出来る。
尚、図７において、一般に使用される、上下の土木用ブロックを連結固定するための連結プレート、土木用ブロックの裏面に取り付けられる連結ブラケット及びこれに連結され土中に埋設される樹脂製の網状物や金網からなる補強材、土木用ブロックの最下部に配される根石ブロック等は省略されている。
【産業上の利用可能性】
【００２８】
本考案の土木用ブロックは、第１接合部及び第２接合部から立ち上がり交差する第１斜面部及び第２斜面部を有するので、斜面に積み上げ擁壁を構築する際には、第２斜面部が略水平となり、土木用ブロックを積み上げる際や、積み上げた土木用ブロックに太陽電池パネルを後付けする際の足場として利用できる。また、太陽電池パネルを設置した土木用ブロックの場合には、別途足場を組むことなく、太陽電池パネルのメンテナンス等を施すための足場として利用することができる。
【符号の説明】
【００２９】
Ｂ  土木用ブロック
１  底面部
２  第１接合部
３  第２接合部
４  第１斜面部
５  第２斜面部
６、７  両側面部
８  凸部
９  凹部
１０  フレーム
Ｐ  太陽電池パネル
Ｈ  設置手段
【図１】
0003173210.tif 000003
【図２】
0003173210.tif 000004
【図３】
0003173210.tif 000005
【図４】
0003173210.tif 000006
【図５】
0003173210.tif 000007
【図６】
0003173210.tif 000008
【図７】
0003173210.tif 000009